(57)【要約】【課題】自然揮散と強制揮散ができると共に、強制揮散時の薬剤揮散効率が良く、多量の薬剤を大気に放散することが可能で、自然揮散時には薬剤を大気にスムーズに放散できる薬剤揮散器具とする。【解決手段】上面が開口し、揮散性の薬剤を含有した製剤４が収容された薬剤容器体１と、この薬剤容器体１の上部に取付けられ、前記製剤４の上面４ａとの間に空間部５を形成する蓋体２と、送風機３を備え、前記蓋体２は製剤４の上面４ａと対向した揮散口２０を有して製剤４の上面４ａから自然揮散した薬剤を揮散口２０から大気にスムーズに放散でき、前記送風機３は製剤４の上面４ａ近くの空気を直接吸い込み、その空気を大気に放出することができ、それによって、強制揮散時の薬剤揮散効率が良く、多量の薬剤を大気に放散することが可能である。【選択図】図２
2008006129.tif 000002
【特許請求の範囲】
【請求項１】
上面が開口した薬剤容器体１と、この薬剤容器体１内に収容され、揮散性の薬剤を含有した製剤４と、
前記薬剤容器体１に取付けられ、前記製剤４の上面４ａとの間に空間部５を形成する蓋体２と、送風機３を備え、
前記蓋体２は、前記空間部５を大気に開口して製剤４から揮散した薬剤を大気に放出する揮散口２０を有し、
前記送風機３は、前記製剤４よりも上方で、かつ前記揮散口２０と離隔した位置に設けられ、その送風機３を駆動することで生じる空気流れを前記製剤４の上面４ａに直接作用させて薬剤を強制揮散させるようにしたことを特徴とする薬剤揮散器具。
【請求項２】
送風機３の吸込口３３が製剤４の上面４ａに向けて開口し、吐出口３４が大気に開口し、この送風機３を駆動することで空間部５の薬剤を含む空気を吸込口３３から直接吸い込み、その空気を吐出口３４から大気に放出するようにした請求項１記載の薬剤揮散器具。
【請求項３】
送風機３の吸込口３３が製剤４の上面４ａに向けて開口し、吐出口３４が蓋体２の揮散口２０と対向し、この送風機３を駆動することで空間部５の薬剤を含む空気を吸込口３３から直接吸い込み、その空気を吐出口３４から吐出して揮散口２０から大気に放出するようにした請求項１記載の薬剤揮散器具。
【請求項４】
送風機３の吸込口３３が大気に開口し、吐出口３４が製剤４の上面４ａと対向し、この送風機３を駆動することで空気を吸い込んで製剤４の上面４ａに吹きつけるようにした請求項１記載の薬剤揮散器具。
【請求項５】
蓋体２は送風機載置部２１を備え、その送風機載置部２１には空間部５に開口した開口部２２を有し、
この蓋体２の送風機載置部２１に送風機３を載置して取付けることで、吸込口３３と開口部２２が連通し、吐出口３４が大気に開口するようにした請求項１記載の薬剤揮散器具。
【発明の詳細な説明】
【技術分野】
【０００１】
本発明は、芳香剤、消臭剤、芳香消臭剤、除菌剤、殺虫剤、害虫忌避剤などの揮散性の薬剤を揮散させる器具であって、室内の適所に配置して自然に揮散させたり、または必要に応じて送風し強制揮散させることを兼ね備えた薬剤揮散器具に関するものである。
【背景技術】
【０００２】
従来、芳香剤などの揮散性の薬剤を揮散させる薬剤揮散器具には、器具内に収容した液状芳香剤など薬剤を吸上げ芯を介して吸上げ揮散させる、或いは器具内に収容したゲル状芳香剤など薬剤を開放部分から揮散させる、などの自然に揮散させる自然揮散方式の薬剤揮散器具がある。
また、ファンを備えた器具内に芳香剤など薬剤を含む通気性の薬剤保持体などを配置し、ファンによる発生気流で薬剤を拡散させる、などの強制的に揮散させる強制揮散方式の薬剤揮散器具がある。
【０００３】
前者の自然揮散方式の薬剤揮散器具は、持続性に優れているが拡散性がないという欠点がある。
後者の強制揮散方式の薬剤揮散器具は、拡散性には優れているが高濃度の薬剤が室内に分布するという欠点がある。
前述のように、揮散方式の異なる２つの薬剤揮散器具は、相反する長短を示し、またそれぞれ相補的な長所を有しているため、自然揮散と強制揮散の両方の揮散方式を備え、持続性及び速効的拡散性を得ることができる薬剤揮散器具とすれば、二方式の薬剤揮散器具を別個に準備することなく、１つの薬剤揮散器具で各長所を使い分け使用することができ非常に便利である。
【０００４】
前述した自然揮散と強制揮散の両方の揮散方式を備えた薬剤揮散器具が特許文献１に開示されている。
この薬剤揮散器具は、送風容器体と、この送風容器体内に設けた送風機と、揮散性の薬剤を含有した製剤を収容した薬剤容器体と、前記送風容器体に取付けたカバー体を備えている。
そして、送風機を停止した時には薬剤容器体の上面開口部から自然揮散した薬剤がカバー体の通気部から大気に放出されて自然揮散方式となる。
また、送風機を駆動することで薬剤容器体の上面開口部から製剤の上面に空気が吹きつけられ、強制揮散状態となり、その薬剤を送風機の駆動によって大気に放出して強制揮散方式となる。
【０００５】
【特許文献１】特開２００３−１６９８４３
【発明の開示】
【発明が解決しようとする課題】
【０００６】
前述した従来の薬剤揮散器具は、送風容器体の上に薬剤容器体が設けてあるので、その送風容器体内に設けた送風機を駆動して薬剤容器体の上面開口部から製剤の上面に空気を吹きつけるためには、カバー体を利用して空気の流れを上下反対方向に変換することになるので、製剤の上面に空気を十分に吹きつけづらく、強制揮散時の薬剤揮散効率が悪く、多量の薬剤を大気に放散できない。
【０００７】
このことを解消するためには、送風容器体と薬剤容器体を上下反対とし、送風機を製剤の上方に位置させることで、その送風機によって製剤の上面に空気を十分に吹きつけることが考えられる。
しかし、このようにすると自然揮散時に送風機が邪魔になり、自然揮散時に薬剤を大気にスムーズに放散できないことになる。
【０００８】
本発明の目的は、自然揮散と強制揮散の両方式を備えていると共に、強制揮散時の薬剤揮散効率が良く、多量の薬剤を大気に放散することが可能で、自然揮散時に薬剤を大気にスムーズに放散できるようにした薬剤揮散器具とすることである。
【課題を解決するための手段】
【０００９】
第１の発明は、上面が開口した薬剤容器体１と、この薬剤容器体１内に収容され、揮散性の薬剤を含有した製剤４と、
前記薬剤容器体１に取付けられ、前記製剤４の上面４ａとの間に空間部５を形成する蓋体２と、送風機３を備え、
前記蓋体２は、前記空間部５を大気に開口して製剤４から揮散した薬剤を大気に放出する揮散口２０を有し、
前記送風機３は、前記製剤４よりも上方で、かつ前記揮散口２０と離隔した位置に設けられ、その送風機３を駆動することで生じる空気流れを前記製剤４の上面４ａに直接作用させて薬剤を強制揮散させるようにしたことを特徴とする薬剤揮散器具である。
【００１０】
第２の発明は、第１の発明において、送風機３の吸込口３３が製剤４の上面４ａに向けて開口し、吐出口３４が大気に開口し、この送風機３を駆動することで空間部５の薬剤を含む空気を吸込口３３から直接吸い込み、その空気を吐出口３４から大気に放出するようにした薬剤揮散器具である。
【００１１】
第３の発明は、第１の発明において、送風機３の吸込口３３が製剤４の上面４ａに向けて開口し、吐出口３４が蓋体２の揮散口２０と対向し、この送風機３を駆動することで空間部５の薬剤を含む空気を吸込口３３から直接吸い込み、その空気を吐出口３４から吐出して揮散口２０から大気に放出するようにした薬剤揮散器具である。
【００１２】
第４の発明は、第１の発明において、送風機３の吸込口３３が大気に開口し、吐出口３４が製剤４の上面４ａと対向し、この送風機３を駆動することで空気を吸い込んで製剤４の上面４ａに吹きつけるようにした薬剤揮散器具である。
【００１３】
第５の発明は、第１の発明において、蓋体２は送風機載置部２１を備え、その送風機載置部２１には空間部５に開口した開口部２２を有し、
この蓋体２の送風機載置部２１に送風機３を載置して取付けることで、吸込口３３と開口部２２が連通し、吐出口３４が大気に開口するようにした薬剤揮散器具である。
【発明の効果】
【００１４】
請求項１に係る発明によれば、送風機３を停止した状態では製剤４の上面４ａから自然揮散した薬剤が揮散口２０から大気に放出して自然揮散方式の薬剤揮散器具となる。
また、送風機３を駆動すれば、その送風機３による空気流れが製剤４の上面４ａに作用して薬剤を強制揮散できるから強制揮散方式の薬剤揮散器具となる。
前述のように製剤４の上面４ａから自然揮散した薬剤が揮散口２０から大気に放出する際に、送風機３が邪魔にならずに、揮散口２０からスムーズに大気に放出されるので、自然揮散時に薬剤を大気にスムーズに放散することができる。
前述のように送風機３を駆動した時に、その空気流れは製剤４の上面４ａに直接作用し、その空気流れを薬剤揮散に有効利用できるので、強制揮散時の薬剤揮散効率が良く、多量の薬剤を大気に放散できる。
【００１５】
請求項２に係る発明によれば、送風機３を駆動することで、空間部５の空気を直接吸い込み、その空気を吐出口３４から大気に放出するので、強制揮散時の薬剤流れ経路は送風機３の吸込口３３、吐出口３４となり、揮散口２０を通る自然揮散時の薬剤流れ経路とは相違するので、強制揮散時にも自然揮散した薬剤を大気にスムーズに放散することが可能である。
【００１６】
請求項３に係る発明は、自然揮散時、強制揮散時とも揮散口２０から薬剤を大気に放散でき、薬剤流れ経路を単純にできる。
【００１７】
請求項４に係る発明によれば、送風機３の吐出した空気を製剤４の上面４ａに吹きつけて強制揮散するので、効率よく薬剤を強制揮散することができる。
【００１８】
請求項５に係る発明によれば、送風機３を蓋体２から取り外すことで、空間部５が蓋体２の開口部２２から大気に開口するから、その開口部２２から自然揮散した薬剤を大気に放散することができる。
【発明を実施するための最良の形態】
【００１９】
図１と図２に示すように、薬剤容器体１と、蓋体２と、送風機３と、前記薬剤容器体１内に収容され、揮散性の薬剤を含有した製剤４で薬剤揮散器具としてある。
前記薬剤容器体１は上面が開口した箱形状である。この薬剤容器体１の開口部１０の大きさは製剤４の上面４ａの平面大きさと略同一で、その製剤４の上面４ａのほぼ全てに空気が触れるようにすることが好ましい。
また、薬剤容器体１の開口部１０は非通気性の気密シート１１で閉塞され、製剤４が空気と触れないようにしてある。
この気密シート１１は使用時には剥がして開口部１０を開放し、製剤４に空気が触れるようにする。
【００２０】
前記蓋体２は薬剤容器体１に着脱自在に取付けられて製剤４の上面４ａと相対向し、この蓋体２と前記製剤４の上面４ａとの間に気密シート１１が無い状態で空間部５を形成する。
前記蓋体２は空間部５を大気に開口する揮散口２０を有している。この揮散口２０は前記製剤４の上面４ａと対向している。
そして、使用時（つまり、前記気密シート１１を剥がして開口部１０を開放した状態）には、製剤４から自然揮散した薬剤が矢印ａで示すように揮散口２０から大気に放散する。
【００２１】
前記送風機３は製剤４よりも上方で、蓋体２の揮散口２０と離れた位置に設けられて吸込み空気又は吐出空気（つまり、駆動することで生じる空気流れ）を製剤４の上面４ａに直接作用させる。例えば、矢印ｂで示すように製剤４の上面４ａ近くの空気を直接吸い込み、その空気を矢印ｃで示すように大気に放出する。
このようであるから、送風機３を駆動することで薬剤を強制揮散する強制揮散方式とすることができる。
【００２２】
また、強制揮散時には送風機３の空気流れを製剤４の上面４ａに直接作用、例えば空間部５の薬剤を含む空気を直接吸い込み、その空気を大気に放出するので、送風機３の吸い込み風量を製剤４の上面４ａからの薬剤揮散に有効利用できる。
したがって、強制揮散時の薬剤揮散効率が良く、多量の薬剤を大気に放散できる。
【００２３】
前記送風機３を停止した時には、製剤４の上面４ａから自然揮散した薬剤が蓋体２の揮散口２０から矢印ａで示すように大気に放出する。
この揮散口２０は送風機３と離れ、自然揮散した薬剤が揮散口２０から大気に放出する際に、送風機３が邪魔になることがない。
しがたって、自然揮散時に薬剤をスムーズに大気に放散することができる。
【００２４】
また、この実施の形態によれば強制揮散時の薬剤流れ経路は矢印ｂ，ｃのように送風機３内部を通過し、自然揮散時の薬剤流れ経路は矢印ａのように揮散口２０を通過する。
このように、薬剤流れ経路が強制揮散時と自然揮散時とで相違するので、強制揮散時にも自然揮散した薬剤をスムーズに大気に放散することが可能である。
【００２５】
また、この実施の形態によれば、薬剤容器体１は、ただ単に上面が開口した箱形状であるし、蓋体２は開口部２０を有して薬剤容器体１に着脱自在に取付けられる形状であるから、それらは単純な形状で、安価に製作できる。
【００２６】
次に、各部材の具体形状を説明する。
前記薬剤容器体１は底面板１２と周面板１３で上面が開口した筒状の箱形状で、その周面板１３の上部寄り部分１３ａが蓋体取付部である。
前記蓋体２は、その外周縁部２ａが被取付部で、前記薬剤容器体１の蓋体取付部に着脱自在に取付けられる。
例えば、蓋体２の外周縁部２ａを下向きリング形状とし、薬剤容器体１の周面板１３の上部寄り部分１３ａに嵌め合わせて取付ける。又は両者に雄ねじと雌ねじを形成して螺合して取付ける。
【００２７】
前記送風機３は、ハウジング３０内にモータ３１で回転されるファン３２を設け、そのハウジング３０に吸込口３３と吐出口３４をそれぞれ形成してある。前記ハウジング３０は電池収納室３５を有する。
前記送風機３は蓋体２に載置して取付けてあり、その吸込口３３が前述の空間部５に開口連通している。
例えば、蓋体２に送風機載置部２１を形成すると共に、その送風機載置部２１に開口部２２を形成し、その送風機載置部２１に送風機３（ハウジング３０）を載置して取付けることで、吸込口３３が開口部２２を通して空間部５に開口連通する。
図１、図２に示す送風機載置部２１は、送風機３（ハウジング３０）が嵌合する凹部としてある。
【００２８】
このように蓋体２の送風機載置部２１に開口部２２を形成し、その送風機載置部２１に送風機３を着脱自在に載置して取付けた構成であれば、自然揮散時に送風機３を取り外すことで、開口部２２を薬剤の揮散口として利用できるから、より多くの薬剤を大気に放散することができる。
【００２９】
なお、取り外した送風機３を仮置きする部分を薬剤収容体１、蓋体２に形成し、取り外した送風機３を仮置きできるようにすることが好ましい。
例えば、図２に仮想線で示すように底面板１２に凹部１２ａを形成し、この凹部１２ａにハウジング３０の電池収納室３５部分が嵌合するようにする。
【００３０】
図１、図２に示す薬剤揮散器具では、送風機３が蓋体２の上面から上方に突出しているが、蓋体２の上面が送風機３よりも上方に突出するようにしても良い。
例えば、前述の送風機載置部２１である凹部の深さを送風機３の全高よりも深くして送風機３の上面よりも蓋体２の上面が上方に突出するようにする。
このようにした場合には送風機３の吐出口３４が凹部の内周面で閉鎖されて大気に開口しない恐れがあるので、その凹部の内周面を漏斗形状としたり、内周面の吐出口３４と対向した部分を削除して吐出口３４が確実に大気に開口するようにすることが好ましい。
【００３１】
例えば、図３、図４、図５に示すように、蓋体２を４つの傾斜面２３と上面２４を有する頂部を切断した四角錐形状とし、各傾斜面２３に揮散口２０を形成し、上面２４に凹部２５を形成して送風機載置部２１とし、その凹部２５の底面に開口部２２を形成する。
前記蓋体２における送風機３の２つの吐出口３４と対向する部分に凹陥部２６を、前記凹部２５と連続して形成し、この凹陥部２６を通して吐出口３４が大気に開口するようにする。
【００３２】
このようにすれば、凹部２５内に送風機３を嵌め込むようにしてしっかりと載置して取付けできるし、吐出口３４を大気に確実に開口することができる。
【００３３】
また、凹部を深くせずに蓋体２の外周縁に環状の立ち上がりを設け、その立ち上がりが送風機３の上面よりも上方に突出するようにしても良い。
【００３４】
図１と図２に示すように、蓋体２の中央部に送風機載置部２１が形成され、この送風機載置部２１よりも外周寄り部分に揮散口２０が形成されているので、自然揮散時には送風機３よりも外周寄り部分から薬剤がスムーズに大気に放散される。
なお、送風機載置部２１を蓋体２の中央部以外の位置に形成し、残りの部分に揮散口２０を形成しても良い。例えば薬剤容器体１を楕円（長円）形状として左右一側方寄り位置に送風機載置部を形成し、左右他側方に揮散口２０を形成する。
【００３５】
前述の実施の形態では送風機３を蓋体２に載置して取付けしたが、これに限ることはなく、蓋体２又は薬剤容器体１に支持部材を設け、この支持部材に送風機３を取付けたり、蓋体２に送風機３を一体的に設けることもできる。
【００３６】
例えば、図６、図７に示すように蓋体２の内面に支持部材４０を設け、この支持部材４０に送風機３を取付ける。
前記支持部材４０は蓋体２の内周面に取付けられる円板状で、その中央に送風機取付部４１、開口部４２を有すると共に、外周寄りに補助揮散口４３が形成されている。
前記送風機３は送風機取付部４１に取付けられ、その吸込口３３が開口部４２を通して空間部５に開口し、製剤４の上面４ａと対向する。
前記蓋体２には開口部２７が形成してあり、この開口部２７にハウジング３０の電池収納室３５を形成する部分が嵌まり合うようにしている。
【００３７】
このようであるから、自然揮散時には薬剤が矢印ａで示すように補助揮散口４３、揮散口２０を通して大気に放出される。
また、強制揮散時には、送風機３を駆動することで製剤４の上面４ａ近くの空気を開口部４２を通して吸込口３３から吸い込み、吐出口３４から自然揮散時の薬剤流れ経路に吐出し、揮散口２０から放出する。
このようであるから、自然揮散時の薬剤流れ経路、揮散口２０を利用して大気に薬剤を放散することができ、強制揮散時の薬剤流れ経路、揮散口を自然揮散時のものとは別に形成する必要がなく、薬剤流れ経路を単純とすることができる。
要するに、この実施の形態では送風機３の吐出口３４が蓋体２よりも内側に位置しているので、前述のように自然揮散時の薬剤流れ経路を利用して薬剤を大気に放散している。
【００３８】
なお、強制揮散時の薬剤流れ経路を自然揮散時の薬剤流れ経路とは別に形成しても良い。
例えば、蓋体２に揮散口２０とは別に補助揮散口を形成し、この補助揮散口と送風機３の吐出口３４を連通する。
そして、強制揮散時には補助揮散口から薬剤を大気に放散する。
【００３９】
図６、図７に示す支持部材４０は円板状であるが、これに限ることはなく、任意の形状とすることができる。
例えば、矩形の枠形状で蓋体２の内面に取付けられ、その内部に送風機３を支持できるもの。
また、上面が開口した筒形状で、その底面に開口部を有し、周面に孔を有し、その内部に送風機３を支持して開口部から空気を吸い込み、その空気を孔から吐出するもの。
【００４０】
また、図８に示すように薬剤容器体１に支持部材４０を設け、使用時に送風機３を支持部材４０上に支持して取付ける。
前記支持部材４０は筒形状で、空気流通部４４が形成され、この支持部材４０は薬剤容器体１の底面板１２に接して設けてあり、未使用時には気密シート１１よりも下方に位置している。送風機３は気密シート１１に接している。
そして、使用時には気密シート１１を剥がし、支持部材４０上に送風機３を載置して取付ける。
【００４１】
図８に示す支持部材４０は筒形状であるが、これに限ることはなく枠形状、板形状、リングに脚を設けたもの等、任意の形状とすることが可能である。
【００４２】
また、図示は省略するが蓋体２に深い凹部を形成し、この凹部に送風機３を嵌め合わせて取付け、凹部における送風機３の吐出口３４と対向した部分に開口を形成して吐出口３４から吐出された空気が蓋体２の揮散口２０から大気に放出するようにしても良い。
【００４３】
前述の各実施の形態では蓋体２と送風機３を別体としたが、一体としても良い。つまり、送風機３のハウジング３０を蓋体２と一体とする。
【００４４】
例えば、図９に示すように蓋体２に開口部２８と、その開口部２８の周縁の筒状の立上り壁２９を形成し、その立上り壁２９に孔を形成して吐出口３４とする。送風機３のモータ３１とファン３２を備えていると共に、電池収納室３５を有するモータ取付部材３６を立上り壁２９に着脱自在に取付けてハウジング３０とする。
このようにすれば、部品点数を少なくできる。
【００４５】
前述の各実施の形態によれば、強制揮散時に送風機３によって製剤４の上面４ａ近くの空気を吸い込み、その空気を大気に吐出することで薬剤を大気に放散したが、製剤４の上面４ａに送風機３によって空気を吹きつけて薬剤の揮散を助長し、その揮散した薬剤を吹きつけられた空気とともに大気に放出することで、強制揮散によって薬剤を大気に放散しても良い。
【００４６】
例えば、前述した各実施の形態において送風機３を上下反転し、吸込口３３が上向きで、吐出口３４が下向きとなるようにして吐出空気を製剤４の上面４ａに吹きつけるようにする。
【００４７】
具体的には、図１０、図１１に示すように、蓋体２の送風機載置部２１を深い凹部形状とし、その周面に吹出口５０を形成する。
前記凹部形状の送風機載置部２１に送風機３を、吸込口３３が上向きで、吐出口３４が吹出口５０と連通して取付ける。
そして、モータ３１でファン３２を駆動することで吸込口３３から大気に吸い込み、その空気を吐出口３４から吐出し、吹出口５０から矢印ｄで示すように製剤４の上面４ａに吹きつけて薬剤の揮散を助長する。つまり、強制揮散する。
この揮散した薬剤は矢印ｅで示すように製剤４の上面４ａからはね返る空気とともに揮散口２０から大気に放出される。
【００４８】
図１０、図１１に示す送風機３は電池収納室３５を下面に有しているので、ハウジング３０の電池収納室３５を形成する部分が開口部２２に嵌まり込んでいる。
そして、吹出口５０は斜め下向きとして製剤４の上面４ａに向けて空気を吹きつけ易いようにしてある。
【００４９】
前述の各実施の形態で説明した各薬剤揮散器具は、未使用時、保管時、運搬時などの流通時において、薬剤容器体１に気密シート１１を設けた状態で送風機３を備えた蓋体２を被着したまま包装（袋、小箱など）でき、簡易な包装仕様、包装工程ですむと共に、使用に際しても開封時のままの姿形で気密シート１１を剥がすだけなので使用準備が簡単でわかり易い。
【００５０】
前述の各実施の形態では薬剤容器体１は上面が開口した箱形状としてあるが、この薬剤容器体１の形状は半球状、矩形箱形状、ドーナツ形状など任意の形状とすることができる。
前述の各実施の形態では、送風機３の電池収納室３５はハウジング３０の上面に設けた側面に設けても良い。また、送風機３（ハウジング３０）は円形状であるが、これに限ることなく、任意の形状とすることができることは勿論である。
前述の各実施の形態では、送風機３の吐出口３４を複数設けたが一つでも良い。さらに一つの場合、吐出口３４を薬剤容器体１の外方に向けて形成しても良い。例えば、蓋体２の側方の端位置に送風機載置部２１を設ける、又は送風機３のハウジング３０を一体として設ける。
また、薬剤容器体１に気密シート１１を設けて未使用時、保管時、運搬時などに製剤４が空気に触れないようにしてあるが、この気密シート１１を設けずに全体を気密して包装するようにしても良い。
【００５１】
本発明に用いる揮散性の薬剤としては、従来から害虫駆除剤（殺虫剤、害虫忌避剤、害虫成長阻害剤など）、芳香・消臭剤（香料、ハーブ、消臭剤など）、防菌・防黴剤（殺菌剤、除菌剤、防カビ剤など）等の目的で使用されている自然下で揮散する各種の薬剤を、目的に応じて単独で、または２種以上組合わせて使用できる。
【００５２】
本発明に用いる製剤は、形状として、多量の揮散性の薬剤を含有し、取扱いが簡便であればよく、例えばゲル状、ジェル状、粒状、粉状、マット状、綿状、繊維状、ハニカム構造状、又は液状などが例示される。
製剤の材料としては、自然下で含有された揮散性薬剤を放出するものであればよく、例えば多孔質無機物質および有機物質、パルプ材、ゲル化材、合成樹脂などが例示される。
送風機のファンとしては、シロッコファンが好ましいが、軸流ファン、プロペラファンを用いることもできる。
【図面の簡単な説明】
【００５３】
【図１】本発明の第１の実施の形態を示す薬剤揮散器具の平面図である。
【図２】図１のＡ−Ａ断面図である。
【図３】蓋体の他の実施の形態を示す平面図である。
【図４】図３のＢ−Ｂ断面図である。
【図５】図３のＣ−Ｃ断面図である。
【図６】本発明の第２の実施の形態を示す薬剤揮散器具の平面図である。
【図７】図６のＤ−Ｄ断面図である。
【図８】本発明の第３の実施の形態を示す薬剤揮散器具の断面図である。
【図９】本発明の第４の実施の形態を示す薬剤揮散器具の断面図である
【図１０】本発明の第５の実施の形態を示す薬剤揮散器具の平面図である。
【図１１】図１０のＥ−Ｅ断面図である。
【符号の説明】
【００５４】
１…薬剤容器体、２…蓋体、３…送風機、４…製剤、４ａ…上面、５…空間部、１１…気密シート、２０…揮散口、２１…送風機載置部、２２…開口部、３０…ハウジング、３１…モータ、３２…ファン、３３…吸込口、３４…吐出口、４０…支持部材、４１…送風機載置部、４２…開口部、５０…吹出口。
【図１】
2008006129.tif 000003
【図２】
2008006129.tif 000004
【図３】
2008006129.tif 000005
【図４】
2008006129.tif 000006
【図５】
2008006129.tif 000007
【図６】
2008006129.tif 000008
【図７】
2008006129.tif 000009
【図８】
2008006129.tif 000010
【図９】
2008006129.tif 000011
【図１０】
2008006129.tif 000012
【図１１】
2008006129.tif 000013